(57)【要約】      （修正有）【課題】アサガオを取り付けた足場に容易に取付けることができ、アサガオで受けた落下物が孔から下方へ落下することを防ぐことのできる足場を経済的に提供することのできる、孔塞ぎ部材を提供する。【解決手段】孔塞ぎ部材１００は、可とう性のある平板１から形成され、塞ぎ平面部１０と、外方に突出して形成されてかつ取付け孔５０が形成された取付け平面部２０とが一体に形成されてなり、塞ぎ平面部１０に切断線２と折れ目４が所定の間隔５をおいて設けられて、折れ目４を境にして起立可能な起立部２５が形成される。そして、塞ぎ平面部１０が足場の孔を塞いで設置され、起立部２５と共に取付け平面部２０が起立され、取付け孔５０と特定の部材の被取付け孔とが近接して接続部材によって接続可能にされるように、取付け孔５０の位置が、特定の部材の被取付け孔に近接した位置になるように構成されている。【選択図】図１
0003200722.tif 000002
【実用新案登録請求の範囲】
【請求項１】
可とう性のある平板から形成され、足場を形成する特定の材料間に形成された孔を塞ぐ塞ぎ平面部と、該塞ぎ平面部と一体で、特定の部材に取付けられる取付け平面部とからなり、
塞ぎ平面部に、該塞ぎ平面部の周囲の一点から内方に向けて切断された切断線および該切断線の終点から塞ぎ平面部の周囲の他の点に向けて該切断線に所定の間隔をおいて折り目が設けられて、前記切断線と前記折れ目との間に、折れ目を境にして起立の可能な起立部が形成され、前記取付け平面部が、該起立部から塞ぎ平面部の外方に突出して形成され、かつ前記取付け平面部の一部に取付け孔が形成され、
前記塞ぎ平面部が特定の材料間に形成された孔を塞いで設置され、前記取付け平面部が、前記折れ目を境にして起立部が塞ぎ平面部から起立されると、一緒に起立され、
該起立によって、前記取付け孔と前記特定の部材の被取付け孔とが近接して接続部材によって接続可能にされるように、前記取付け孔の位置が、前記特定の部材の被取付け孔に近接した位置になること
を特徴とする足場を形成する特定の材料間に形成された孔を塞ぐ孔塞ぎ部材。
【考案の詳細な説明】
【技術分野】
【０００１】
本考案は、足場を形成する特定の材料間に形成された孔を塞ぐ孔塞ぎ部材に関するものである。
【背景技術】
【０００２】
従来、建築現場の建築物に沿って設けた支柱に取付けて階層状に組み立てられる足場板の組立体においては、上階層からの落下物を防ぐために、アサガオと呼ばれる屋根部材が設けられている（以下、足場板の組立体にアサガオを設けた構成を単に足場と略称する）。ここで、アサガオを設ける足場の構成としては、例えば、特許文献１のような足場がある。
【０００３】
この種の足場の構成としては、各支柱にアサガオを取付けるための取付具を取り付けて、その取付具にアサガオが取付られるようになっている。
【０００４】
上述の特許文献に開示されるような足場は、アサガオを足場の支柱に取付けた取付具を区切りにして取り付ける構成であり、取付具による区切りの間には構造上の制約から、上下に開口した孔が形成される。
【０００５】
この孔によれば、アサガオで受けた落下物が、アサガオ上を転がって孔まで達し、この孔を通り抜けて下方に落下してしまい、下にいる作業者等に落下物が当たる恐れがあり、重大な事故の発生要因となってしまう。
【０００６】
この種の問題を解決するために、種々の提案がなされており、例えば、特許文献２には、足場に設けられた複数の落下防止板の間に設けられる落下防止装置が開示されている。
【０００７】
また、特許文献３には、足場単体に生じた隙間を塞ぐためのカバーが開示されており、特許文献４には、複数の足場間に生じた隙間を塞ぐためのシート材が開示されている。
【先行技術文献】
【特許文献】
【０００８】
【特許文献１】特開２０１３−６０７３２号公報
【特許文献２】実用新案登録第３１６７８３４号
【特許文献３】実用新案登録第３０２５２０２号
【特許文献４】実開平６−３７４５３
【考案の概要】
【考案が解決しようとする課題】
【０００９】
この種の足場にアサガオに取付けることで形成される孔を塞ぐ孔塞ぎカバーとしては、安価に提供されることが求められる。このためには、現場にて構成される足場の部材に設けられる孔等を利用して塞ぎカバーを構成することが好ましい。
【００１０】
上述の特許文献においては、それぞれ足場に形成される特定の材料間の孔について、特定の材料ごとにカバーの形状を設定して製造する必要があるために、安価な孔塞ぎカバーを提供することが困難である。
【００１１】
本考案は、このような問題を鑑みて考案されたものであり、アサガオを取り付けた足場に容易に取付けることができ、足場の特定の材料間に形成される孔を利用することで、落下物を孔から下方へ落下することを防ぐことのできる足場を経済的に提供することのできる、特定の材料間に形成された孔を塞ぐ孔塞ぎ部材を提供することを目的とする。
【課題を解決するための手段】
【００１２】
本考案の足場を形成する特定の材料間に形成された孔を塞ぐ孔塞ぎ部材は、可とう性のある平板から形成され、足場を形成する特定の材料間に形成された孔を塞ぐ塞ぎ平面部と、該塞ぎ平面部と一体で、特定の部材に取付けられる取付け平面部とからなり、
塞ぎ平面部に、該塞ぎ平面部の周囲の一点から内方に向けて切断された切断線および該切断線の終点から塞ぎ平面部の周囲の他の点に向けて該切断線に所定の間隔をおいて折り目が設けられて、前記切断線と前記折れ目との間に、折れ目を境にして起立の可能な起立部が形成され、前記取付け平面部が、該起立部から塞ぎ平面部の外方に突出して形成され、かつ前記取付け平面部の一部に取付け孔が形成され、
前記塞ぎ平面部が特定の材料間に形成された孔を塞いで設置され、前記取付け平面部が、前記折れ目を境にして起立部が塞ぎ平面部から起立されると、一緒に起立され、
該起立によって、前記取付け孔と前記特定の部材の被取付け孔とが近接して接続部材によって接続可能にされるように、前記取付け孔の位置が、前記特定の部材の被取付け孔に近接した位置になること
を特徴としている。
【考案の効果】
【００１３】
本考案は、上述の構成により、アサガオを取り付けた足場に容易に取付けることができ、足場の特定の材料間に形成される孔を利用することで、落下物を孔から下方へ落下することを防ぐことのできる足場を経済的に提供することのできる、特定の材料間に形成された孔を塞ぐ孔塞ぎ部材を提供することができる。
【図面の簡単な説明】
【００１４】
【図１】本考案の実施例の足場を形成する特定の材料間に形成された孔を塞ぐ孔塞ぎ部材の平面図である。
【図２】本考案の実施例の孔塞ぎ部材を適用する足場の構成例の概略図を示す斜視図である。
【図３】本考案の実施例の孔塞ぎ部材により塞がれる足場の特定材料間に形成される孔の例を示す図である。
【図４】本考案の実施例の孔塞ぎ部材が取り付けられる足場の特定の部材に形成される被取り付け孔の構成例を示す図である。
【図５】本考案の実施例の孔塞ぎ部材を図２の足場に取付けるときの手順を説明する図である。
【考案を実施するための形態】
【００１５】
以下、図面に基づき本願発明の実施の形態を説明する。
【００１６】
図１は、本考案の実施例の足場を形成する特定の材料間に形成された孔を塞ぐ孔塞ぎ部材の平面図であり、図２は、本考案の実施例の孔塞ぎ部材を適用する足場の構成例の概略図を示す斜視図であり、図３は、本考案の実施例の孔塞ぎ部材により塞がれる足場の特定材料間に形成される孔の例を示す図である。
【００１７】
本考案の実施例（以下、本実施例と称する。）の孔塞ぎ部材１００は、可とう性のある平板１から形成され、足場２００を形成する特定の材料２０５間に形成された孔２１０を塞ぐ塞ぎ平面部１０と、塞ぎ平面部１０と一体で、特定の部材２０３に取付けられる取付け平面部２０とからなる。
【００１８】
また、塞ぎ平面部１０に、塞ぎ平面部１０の周囲の一点１２から内方に向けて切断された切断線２および切断線２の終点３から塞ぎ平面部１０の周囲の他の点１４に向けて切断線２に所定の間隔５をおいて折り目４が設けられて、切断線２と折れ目４との間に、折れ目４を境にして起立の可能な起立部２５が形成され、取付け平面部２０が、起立部２５から塞ぎ平面部１０の外方に突出して形成され、かつ取付け平面部２０の一部に取付け孔５０が形成される。
【００１９】
そして、塞ぎ平面部１０が特定の材料２０５間に形成された孔２１０を塞いで設置され（図５参照）、取付け平面部２０が、折れ目４を境にして起立部２５が塞ぎ平面部１０から起立されると、一緒に起立され、この起立によって、取付け孔５０と特定の部材２０３の被取付け孔２５０とが近接して接続部材２２０によって接続可能にされるように、取付け孔５０の位置が、特定の部材２０３（図５参照）の被取付け孔２５０に近接した位置になるように構成されている。
【００２０】
以下、本実施例の孔塞ぎ部材１００の詳細構成について説明する前に、本実施例の孔塞ぎ部材１００の取付け対象である足場２００の構成例について説明する。
【００２１】
図２、図３において、足場２００は、建築現場の建築物に沿って設けた支柱２０１に足場板２０２が取付けられて階層状に組み立てられ、この支柱２０１にアサガオ２２０を取付けるための取付具２０３が取付けられ、この取付具２０３によりアサガオ２２０が取付けられて構成される。ここで、階層状に組み立てられた足場板２０２の側面には、隣接する支柱２０１間に側面カバー体２０４が設けられる。
【００２２】
図４は、本考案の実施例の孔塞ぎ部材が取り付けられる足場の特定の部材に形成される被取り付け孔の構成例を示す図である。本実施例においては、この取付具２０３が、足場の特定の部材に該当する。
【００２３】
この取付具２０３は、支柱２０１に取付けられて、足場２００に取付けるアサガオ２２０を保持することになる保持板２０６と、この保持板２０６の両側に取付けられて、アサガオ２２０を嵌め込んで接続するためのフレーム体２０７、２０８とからなる。
【００２４】
保持板２０６には、フレーム２０７、２０８を取付具２０３に固定し、もってアサガオ２２０を取付具２０３に取付けるための取付け孔２５０が形成される。この被取付け孔２５０は、後述する接続部材２３０の挿通による接続のため、少なくとも二つの被取付け孔２５１、２５２が設けられる。本実施例では、４か所設けられるが、別に設けてもよい。また、この保持板２０６には、フレーム体２０７、２０８を取り付けるためのボルト等の取付部材を挿通させるための孔２５３が設けられている。
【００２５】
この取付け孔２５１又は２５２のいずれかを選択してフレーム２０７、２０８を固定することで、アサガオ２２０の取付け角度を設定することができる。
【００２６】
また、保持板２０６には、支柱２０１側に取付けた際に孔２６０を形成するように、切欠き部２６１が設けられている。
【００２７】
フレーム体２０７、２０８には、アサガオ２２０を取り付けるためのピン等の取付部材を挿通させるための孔２１１、２１２、２１３、２１４が設けられている。また、このフレーム体２０７、２０８には、保持板２０６に取り付けるためのボルト等の取付部材を挿通させるための孔２１５、２１６が設けられている。
【００２８】
アサガオ２２０の支柱２０１側の端部フレーム２２２には、封鎖板２２８が埋め込まれて接続される。これにより、アサガオ２２０の支柱２０１側の端部フレーム２２２と側面カバー体２０４との間の空間部が封鎖される。
【００２９】
ここで、この封鎖板２２８は、フレーム体２０７、２０８と干渉してしまうために、保持板２０６に近接して設けることができないために、所定の空間を要することになる。従い、側面カバー体２０４、保持板２０６、アサガオ２２０、封鎖板２２８との間には孔２１０が形成される。つまり、本実施例において、特定の材料２０５間に形成された孔２１０とは、側面カバー体２０４、保持板２０６、アサガオ２２０、封鎖板２２８との間に形成された孔２１０をいう。
【００３０】
接続部材２３０としては、市販されている結束バンド等を用いることができる。取付け孔５０と被取付け孔２５０とを挿通し、接続できるものであれば別のものであってもよい。
【００３１】
本実施例の孔塞ぎ部材１００は、このような孔２１０を足場２００の特定の部材つまり保持板２０６（以下、特定の部材という。）に取付けることで、容易に塞ぐことができるものであり、以下その詳細構成について説明する。
【００３２】
孔塞ぎ部材１００は、１枚の平板からなるものであり、材質としては、強化プラスチック（ＦＲＰ）等のプラスチックや金属が用いられ、可とう性のあるものが用いられる。また、厚みとしては、薄圧のもの（例えば１ｍｍ程度）のものが用いられる。ここで、材質や厚みは、足場から落下物を受け取ることができるものであればよく、また可とう性を有するものであれば上述の材質や厚みに限られるものではない。
【００３３】
また、塞ぎ平面部１０は、特定の部材間つまり側面カバー体２０４、保持板２０６、アサガオ２２０、封鎖板２２８との間（以下、特定の部材間という。）に形成される孔を塞ぐことのできる長さ・幅を有するものであればよく、その外形は矩形状であっても円形状であってもよい。
【００３４】
また、塞ぎ平面部１０に切欠き部１５、１７を設けることにより、作業者等による孔塞ぎ部材１００の足場２００への取付けの際に、塞ぎ平面部１０が足場２００の部材と干渉することで適切に孔２５０を塞ぐことができなくなったり、取り付けが難しくなったりすることを防ぎ、孔塞ぎ部材１００の足場２００への取り付けをより適切にかつ容易にする効果を奏することができる。このような理由から、切断線２が、形成の際に塞ぎ平面部１０に切欠き部１９を形成するようにしておくとよい。
【００３５】
また、塞ぎ平面部１０に折れ目７、８を設けることにより、孔塞ぎ部材１００の足場２００への取り付けた際に、折れ目７、８を境にして塞ぎ平面部１０を折り曲げておくことで、アサガオと孔塞ぎ部材１００の隙間がこの折り曲げられた塞ぎ平面部１０により覆われて、落下物がこの隙間を通過することを防ぐことができる。
【００３６】
また、塞ぎ平面部１０に設けられる切断線２と折り目４との間の所定の間隔５は、切断線２を設けた際に取付け平面部２０が塞ぎ平面部１０から容易に千切れない程度の厚さを設けていればよい。またこの所定の間隔５は、後述する起立部２５の厚みとなる。
【００３７】
また、塞ぎ平面部１０に設けられた切断線２により、塞ぎ平面部１０が一体となっている部分の長さは符号６で示す距離（以下、距離６と称する。）を有することとなるが、この距離６は、足場１００の部材の幅に合わせて設定され、その長さは切断線２の長さにより変更される。
【００３８】
塞ぎ平面部１０に設けられる切断線２は、本実施例では直線状に形成されるが、円形状に形成されていてもよい。例えば、図１の破線５４で示すように切断線を設けてもよく、この場合には後述する起立させた取付け平面部２０の肉部が増すために強度が向上する効果を奏することができる。塞ぎ平面部１０は、この切断線２を基準として、平面部分１０Ａと平面部分１０Ｂが形成される。
【００３９】
起立部２５から塞ぎ平面部１０の外方に突出して形成された取付け平面部２０の幅は、足場２００の部材の高さに合わせて形成される。また、取付け平面部２０の取付け孔５０は、足場２００の部材の被取付け孔２５０と近接させた際に、被取付け孔２５０との位置がある程度ずれても接続部材２３０による挿通を可能とするために、長穴状に形成される。また、取付け孔５０は、被取付け孔２５０の個数に合わせて複数個も受けられる。本実施例の場合は、２つの取付け孔５１、５２が設けられる。
【００４０】
また、塞ぎ平面部１０には、取り付ける足場２００の部材に合わせて、破線で示すように取付け孔５５、５６を設けてもよい。
【００４１】
このように、本実施例の孔塞ぎ部材１００は、切断線２、折り目４、間隔５、折り目７、８、切欠き部１５、１７、１９、取付け平面部２０、取付け孔５０を、取付け対象の足場１００の部材の形状に合わせて形成することにより、足場１００への取付を容易にかつしっかりとすると共に孔２１０を適切に塞ぐことができる。
【００４２】
図５は、本考案の実施例の孔塞ぎ部材を図２の足場に取付けるときの手順を説明する図である。以下、図５を用いて、本実施例における孔塞ぎ部材１００を足場２００に取付ける手順を説明する。
【００４３】
まず、孔塞ぎ部材１００の起立部２５を、折れ目４を境にして塞ぎ平面部１０から起立させると共に取付け平面部２０を起立させる。次に、孔塞ぎ部材１００を特定の部材間の孔２１０近傍に設ける。
【００４４】
次に、孔塞ぎ部材１００全体を起立させるように傾けて、塞ぎ平面部１０の平面部分１０Ａを足場２００の保持板２０６の孔２６０内を挿通させて平面部分１０Ａを保持板２０６の両側に設けられる片側（図５で奥の方）の孔２０６上に設け、平面部分１０Ｂを保持板２０６のもう片側（図５で手前の方）の孔２０６上に設け、傾けた孔塞ぎ部材１００を倒す。これにより、保持板２０６の両側の孔２１０が塞ぎ平面部１０によって塞がれる状態となる。
【００４５】
次に、取付け平面部２０を特定の部材２０６に近接させて、取付け平面部２０の取付け孔５０と特定の部材２０３の被取付け孔２５０とを近接させる。この時それぞれの孔５０と孔２５０とが重なる位置となり、接続部材２３０をそれぞれの孔５０、２５０と連続して挿通させることができるようになる。このように、本実施例の孔塞ぎ部材１００の取付け平面部２０は、折り曲げたときに、取付け平面部２０の孔５０と足場２００に設けられている特定の部材つまり保持板２０６の被取付け孔２５０とが、起立部２５および取付け平面部２０を設けることと、取付け平面部２０に設けた取付け孔５０の位置設定によって、近接するように構成されている。
【００４６】
接続部材２３０の結束は、取付け孔５１、被取付け孔２５１、被取付け孔２５２、取付け孔５２の順に接続部材２３０を挿通させ、接続部材２３０自身を結束させることで、孔塞ぎ部材１００を足場の２００の特定の部材２０６に取付けることで行う。なお、以上の結束の順序は、逆の順序で結束を行ってもよいし、別の方法により結束を行うことで、孔塞ぎ部材１００を足場の２００の特定の部材２０６に取付けてもよい。
【００４７】
以上のようにして、本実施例の孔塞ぎ部材１００は、足場の特定の材料に取付けられて、かつ足場の特定の材料間の孔２１０が塞がれる。
【００４８】
このように、本実施例では、上記の孔２６０によれば、孔塞ぎ部材１００の足場２００の取付の際に、本実施例の孔塞ぎ部材１００の一部をこの孔２６０に挿通させることで、保持板２０６の反対側に孔塞ぎ部材１００の一部を設けることができ、これにより保持板２０６の両側に形成される孔２１０を孔塞ぎ部材１００により容易に塞ぐことができるようになる。
【００４９】
以上、本実施例では、特定の材料間に形成された孔２１０とは、側面カバー体２０４、保持板２０６、アサガオ２２０、封鎖板２２８との間に形成された孔の例で説明したが、本実施例の孔塞ぎ部材１００は、上述の材料に限られず別の材料によって形成された孔であってもよく、これによっても上述の実施例と同様の効果を奏することができる。
【００５０】
また、本実施例では、起立部２５の起立によって、取付け孔５０と特定の部材つまり保持板２０６の被取付け孔２５０とが近接して接続部材２３０によって接続可能にされるように、取付け孔５０の位置が、保持板２０６の被取付け孔２５０に近接した位置とされる例について説明したが、この特定の部材とは保持板２６０に限られず別の部材を用いてもよく、これによっても上述の実施例と同様の効果を奏することができる。
【００５１】
本考案は、上述の構成により、アサガオを取り付けた足場に容易に取付けることができ、足場の特定の材料間に形成される孔を利用することで、落下物を孔から下方へ落下することを防ぐことのできる足場を経済的に提供することのできる、特定の材料間に形成された孔を塞ぐ孔塞ぎ部材を提供することができる。
【符号の説明】
【００５２】
１…平板、２…切断線、３…切断線の終点、４…折れ目、５…所定の間隔、１０…塞ぎ平面部、１２、１４…塞ぎ平面部の周囲の点、２０…取付け平面部、２５…起立部、５０…取付け孔、１００…孔塞ぎ部材、２００…足場、２０５…特定の材料、２１０…孔、２２０…屋根部材（アサガオ）、２３０…接続部材、２５０…被取付け孔。
【図１】
0003200722.tif 000003
【図２】
0003200722.tif 000004
【図３】
0003200722.tif 000005
【図４】
0003200722.tif 000006
【図５】
0003200722.tif 000007